(57)【要約】【課題】本発明は、ガイドの強度を確保しつつ、ガイド及びロータのアーム部の小型化、軽量化を図ることができる魚釣用スピニングリールを提供することを課題とする。【解決手段】本発明に係る魚釣用スピニングリール１の反転機構４０は、ベール支持部材１３Ａに一端部が連結されたシャフト４１と、アーム部３Ａに揺動自在に取り付けられシャフト４１を軸方向摺動自在に支持するガイド５０と、アーム部３Ａに揺動自在に設けられ、ロータ３の釣糸巻取方向の回転によりガイド５０に当接して、釣糸放出位置にあるベール支持部材１３Ａを釣糸巻取位置に復帰させる復帰用当接部材６１とを備え、ガイド５０は、シャフト４１の軸方向に延びて復帰用当接部材６１に当接される当接片５４を有し、ベール支持部材１３が釣糸放出位置に移動した時に、当接片５４の復帰用当接部材に当接される側と反対側にシャフト４１の他端部が配置されることを特徴とする。【選択図】図２
2016202133.tif 000002
【特許請求の範囲】
【請求項１】
リール本体に設けられたロータと、
前記ロータに設けられたアーム部と、
前記アーム部に取り付けられ、釣糸巻取位置と釣糸放出位置とに回動可能なベール支持部材と、
前記ベール支持部材を釣糸放出位置から釣糸巻取位置に復帰させる反転機構と、
を備え、
前記反転機構は、
前記ベール支持部材に一端部が連結されたシャフトと、
前記アーム部に揺動自在に取り付けられ、前記シャフトを軸方向摺動自在に支持するガイドと、
前記アーム部に揺動自在に設けられ、前記ロータの釣糸巻取方向の回転により前記ガイドに当接して、釣糸放出位置にある前記ベール支持部材を釣糸巻取位置に復帰させる復帰用当接部材と、
を備え、
前記ガイドは、前記シャフトの軸方向に延びて前記復帰用当接部材に当接される当接片を有しており、
前記ベール支持部材が釣糸放出位置に移動した時に、前記当接片の前記復帰用当接部材に当接される側と反対側に、前記シャフトの他端部が配置されることを特徴とする魚釣用スピニングリール。
【請求項２】
前記ガイドは、前記シャフトを囲繞する基部を備えており、
前記当接片は、前記基部から前記シャフトの軸方向に延出しており、
前記当接片において、前記復帰用当接部材が当接される側と反対側には、前記基部と前記当接片とを繋ぐリブが設けられていることを特徴とする請求項１に記載の魚釣用スピニングリール。
【請求項３】
前記当接片には、前記シャフトの軸方向の摺動を案内する溝が形成されており、
前記溝は、前記シャフトの外周面の形状に対応していることを特徴とする請求項１または請求項２に記載の魚釣用スピニングリール。
【発明の詳細な説明】
【技術分野】
【０００１】
本発明は、魚釣用スピニングリールに関する。
【背景技術】
【０００２】
魚釣用スピニングリールでは、ベール支持部材がロータのアーム部に回動自在に支持され、ベールを釣糸巻取位置又は釣糸放出位置に移動することができる。
また、魚釣用スプリングリールには、ベール支持部材を回動方向のいずれかに付勢する付勢機構が設けられ、ベールが釣糸巻取位置又は釣糸放出位置に振分付勢保持されるようになっている。
なお、上記する付勢機構は、一端がベール支持部材に連結されるシャフトと、ロータのアーム部に揺動自在に取り付けられてシャフトを案内するガイドと、シャフトを付勢するばねとで構成されている。
【０００３】
さらに、下記特許文献の魚釣用スピニングリールでは、ベールが釣糸放出位置に保持されている場合にハンドルの巻き取り操作に伴うロータの回転で、上記したガイドを揺動させてベールを反転（釣糸巻取位置に復帰）させる反転機構が設けられている。
詳細には、反転機構に備わる復帰用当接部材がガイドに接触することで、ガイドを揺動させてベールを釣糸巻取位置に復帰させている。
【先行技術文献】
【特許文献】
【０００４】
【特許文献１】実開昭６２−８０５７０号公報
【特許文献２】実開平６−４６４６５号公報
【発明の概要】
【発明が解決しようとする課題】
【０００５】
ところで、復帰用当接部材の揺動運動は、ロータの回転力、言い換えればハンドルの巻き取り操作により発生する。このため、復帰用当接部材の接触時にガイドに対して大きな荷重が作用する。このような荷重の作用に対し、従来はガイドの揺動方向の厚みを肉厚とすることでガイドの強度を図っていた。
しかしながら、ガイドの肉厚化は、ガイド及びロータのアーム部の大型化、重量化を招いてしまい、これを改善したいという要望があった。
【０００６】
本発明は、このような課題を解決するために創作されたものであり、ガイドの強度を確保しつつ、ガイド及びロータのアーム部の小型化、軽量化を図ることができる魚釣用スピニングリールを提供することを課題とする。
【課題を解決するための手段】
【０００７】
前記課題を解決するため、本発明に係る魚釣用スピニングリールは、リール本体に設けられたロータと、前記ロータに設けられたアーム部と、前記アーム部に取り付けられ、釣糸巻取位置と釣糸放出位置とに回動可能なベール支持部材と、前記ベール支持部材を釣糸放出位置から釣糸巻取位置に復帰させる反転機構と、を備え、前記反転機構は、前記ベール支持部材に一端部が連結されたシャフトと、前記アーム部に揺動自在に取り付けられ、前記シャフトを軸方向摺動自在に支持するガイドと、前記アーム部に揺動自在に設けられ、前記ロータの釣糸巻取方向の回転により前記ガイドに当接して、釣糸放出位置にある前記ベール支持部材を釣糸巻取位置に復帰させる復帰用当接部材と、を備え、前記ガイドは、前記シャフトの軸方向に延びて前記復帰用当接部材に当接される当接片を有しており、前記ベール支持部材が釣糸放出位置に移動した時に、前記当接片の前記復帰用当接部材に当接される側と反対側に、前記シャフトの他端部が配置されることを特徴とする。
【０００８】
前記発明によれば、復帰用当接部材が当接（接触）する部位が片（薄板形状）になっている。よって、ガイドが肉薄化され、ガイド及びロータのアーム部の小型化及び軽量化を図ることができる。
また、シャフトの他端部は、当接片において復帰用当接部材に当接される側と反対側に配置されている。よって、シャフトは、復帰用当接部材が当接（接触）する方向からの荷重に対して当接片を支持するようになっている。この結果、復帰用当接部材との接触に対する当接片の強度が確保され、当接片（ガイド）の変形が抑制される。
【０００９】
また、前記発明において、前記ガイドは、前記シャフトを囲繞する基部を備えており、前記当接片は、前記基部から前記シャフトの軸方向に延出しており、前記当接片において、前記復帰用当接部材が当接される側と反対側には、前記基部と前記当接片とを繋ぐリブが設けられていることが好ましい。
【００１０】
前記構成によれば、復帰用当接部材との接触に対する強度が向上し、当接片（ガイド）の変形が更に抑制される。
【００１１】
また、前記発明において、前記当接片には、前記シャフトの軸方向の摺動を案内する溝が形成されており、前記溝は、前記シャフトの外周面の形状に対応していることが好ましい。
【００１２】
前記構成によれば、シャフトと当接片との接する面積が大きくなり、復帰用当接部材との接触に対する強度がさらに向上し、ガイドの変形が更に抑制される。
【発明の効果】
【００１３】
以上、前記する発明によれば、部品点数を増加させることなくガイドの耐久性を向上させることができ、耐年数の長いスピニングリールを安価で提供することができる。
【図面の簡単な説明】
【００１４】
【図１】本実施形態の魚釣用スピニングリールの概略図である。
【図２】ベール（ベール支持部材）が釣糸巻取位置にある場合の反転機構を示すアーム部の断面図である。
【図３】ベールが釣糸巻取位置と釣糸放出位置との間にある場合の反転機構を示すアーム部の断面図である。
【図４】ベールが釣糸放出位置にある場合の反転機構を示すアーム部の断面図である。
【図５】（ａ）は後方から斜視したガイドの斜視図であり、（ｂ）は図２の矢印Ｄ方向から視た図である。
【図６】ベールが釣糸巻取位置にある場合の反転機構を説明するための図である。
【図７】ベールが釣糸放出位置にある場合の反転機構を説明するための図である。
【発明を実施するための形態】
【００１５】
本実施形態に係る魚釣用スピニングリールについて、適宜図面を参照しながら説明する。また、実施形態の説明において、「前後」及び「上下」を言うときは図１に示した方向を基準とする。
【００１６】
図１に示すように、魚釣用スピニングリール１は、前方に突出するスプール軸８及び駆動軸筒１０を有するリール本体２と、駆動軸筒１０の前端部に固定されたロータ３と、スプール軸８の前端に取り付けられたスプール４とを主に備えている。
【００１７】
リール本体２は、ハンドル軸５を回転自在に支持し、リール本体２内をハンドル軸５が左右方向に延在している。ハンドル軸５には、歯車５ａとドライブギヤ７とが連結し、ハンドル軸５とともに歯車５ａとドライブギヤ７とが回転するように構成されている。なお、ハンドル軸５の端部は、リール本体２を貫通してリール本体２の側部に位置し、ハンドル６が取り付けられている。
【００１８】
リール本体２の前側に設けられた筒部２ａ内には、図示しない軸受を介して回転自在に支持された駆動軸筒１０と、駆動軸筒１０内に挿通されたスプール軸８とが設けられている。
【００１９】
駆動軸筒１０の前端部にロータ３が固定され、駆動軸筒１０の後端にドライブギヤ７に噛合するピニオンギヤ１１が形成されている。このため、ハンドル６を回転操作すると、その駆動力が駆動軸筒１０に伝達し、駆動軸筒１０とともにロータ３が回転する。
【００２０】
ロータ３は、リール本体２の筒部２ａの外周側に位置する円筒部３０と、一対のアーム部３Ａ，３Ｂとを備えている。
各アーム部３Ａ，３Ｂの前端部には、ベール１８及びラインローラ１９を支持するベール支持部材１２Ａ，１２Ｂが回動自在に取り付けられ、ベール１８を釣糸巻取位置（図２参照）又は釣糸放出位置（図４参照）に移動させることができる。
【００２１】
スプール軸８の前端は、図示しないドラグ機構を介してスプール４が取り付けられている。スプール４は、釣糸が巻回される釣糸巻回胴部４ａと、釣糸巻回胴部４ａの後部に設けられたスカート部４ｂと、釣糸巻回胴部４ａの前側に設けられた前側フランジ４ｃとを備えている。
【００２２】
スプール軸８の後端は、リール本体２内に設けられたスプール往復動装置に連結している。スプール往復動装置は、歯車５ａに噛合する連動歯車５ｂと、連動歯車５ｂに設けられた偏芯突部５ｃと、スプール軸８の後端部に取り付けられるとともに偏芯突部５ｃと係合する案内溝９ａが形成された摺動子９とを備えている。
そして、ハンドル６の巻き取り操作が行われると、ドライブギヤ７およびスプール往復動装置を介してスプール４が前後動し、図示しない釣糸が、ラインローラ１９を介してスプール４の釣糸巻回胴部４ａに均等に巻き付けられる。
【００２３】
つぎに、アーム部３Ａの詳細について説明する。
アーム部３Ａは、円筒部３０の後端からスプール４のスカート部４ｂを超えて外側に延びてさらに前方に延びる断面視略Ｌ字状のアーム本体部３１と、そのアーム本体部３１を覆うカバー部材３２とを備えている。
また、アーム本体部３１とカバー部材３２との間には空間が形成されており、その空間内に反転機構４０のシャフト４１とガイド４２と復帰用当接部材６１とが収容されている。
【００２４】
図２に示すように、アーム本体部３１には、周端縁に沿って外壁３３が形成されている。また、アーム本体部３１の前端部には、円筒状の第１軸部３４と、第１軸部３４の外周側に配置されて互いに周方向に離間する第１位置決め壁部３５及び第２位置決め壁部３６とが形成されている。
【００２５】
第１軸部３４は、ベール支持部材１２Ａの基部１３を回動自在に支持するための軸である。また、ベール支持部材１２Ａの基部１３は、第１軸部３４内に螺合するボルトＢにより抜け止めされている（図１参照）。
【００２６】
第１位置決め壁部３５及び第２位置決め壁部３６は、ベール支持部材１２Ａの基部１３の外周面から突出する移動部１４に当接してベール支持部材１２Ａの回動を規制し、ベール１８（ベール支持部材１２Ａ）を所定位置に位置決めするためのものである。
第１位置決め壁部３５は、移動部１４に対して中心軸Ｏ１の左回り方向に配置され、移動部１４が当接した場合にベール１８が釣糸巻取位置となるように形成されている（図２参照）。
第２位置決め壁部３６は、移動部１４に対して中心軸Ｏ１の右回り方向に配置され、移動部１４が当接した場合にベール１８が釣糸放出位置となるように形成されている（図４参照）。
【００２７】
反転機構４０は、ベール１８が釣糸放出位置に移動し、かつ、ハンドル６の巻き取り操作が行われてロータ３が回転した場合、ベール支持部材１２Ａを反転させてベール１８を釣糸巻取位置に移動させるための機構である。
反転機構４０は、第２軸部５２を介してアーム本体部３１に揺動自在に取り付けられた筒状のガイド５０と、ベール支持部材１２Ａに一端部４１ｂが連結するシャフト４１と、ピンＰ（ネジ部材）によりアーム本体部３１の後端面３１ａに揺動自在に取り付けられた復帰用当接部材６１と、リール本体２の筒部２ａの外周面に設けられた復帰用衝接部６２（図１、図６参照）とを備えている。
さらに本実施形態の反転機構４０は、シャフト４１に沿って巻き回しされたコイルばね４２を備えている。このため、反転機構４０は、ベール１８を釣糸巻取位置又は釣糸放出位置に付勢保持すること、つまり付勢機構を発揮することができるようになっている。
以下、反転機構４０の各構成について説明する。
【００２８】
図５に示すように、ガイド５０は、第２軸部５２と一体に形成された立方体状の基部５１と、基部５１の一部から延びる略壁状の当接片５４とを備えており、基部５１に対して当接片５４がアーム本体部３１の基部側を向くように配置されている。
【００２９】
基部５１には、ガイド５０の長手方向（基部５１と当接片５４が並んでいる方向）に延びる摺動孔５３が形成されている。そして、摺動孔５３には、シャフト４１の他端部４１ａが挿入され、ガイド５０がシャフト４１を摺動自在に支持している。
【００３０】
当接片５４は、復帰用当接部材６１と当接（接触）するための片（薄板形状）であり、基部５１よりも揺動方向に肉薄化されている。
なお、ガイド５０の当接片５４の詳細については後述する。また、中心軸Ｏ１と中心軸Ｏ２とを結ぶ線を振り分け線Ｌ１を称する。
【００３１】
図２に示すように、シャフト４１の一端部４１ｂは、ベール支持部材１２Ａの連結部１５に回動自在に連結されている。このため、ベール支持部材１２Ａが回動すると、シャフト４１の一端部４１ｂが周方向に移動し、シャフト４１ととともにガイド５０が中心軸Ｏ２回りに揺動する。
【００３２】
具体的に、ベール１８が釣糸巻取位置から釣糸放出位置に移動した場合、シャフト４１の一端部４１ｂは、中心軸Ｏ１の右回り方向に移動し（図２の矢印Ａ１を参照）、ガイド５０は中心軸Ｏ２の左回り方向に揺動する（図２の矢印Ａ２を参照）。
一方で、ベール１８が釣糸放出位置から釣糸巻取位置に移動した場合、シャフト４１の一端部４１ｂは、中心軸Ｏ１の左回り方向に移動して（図４の矢印Ｂ４を参照）、ガイド５０は中心軸Ｏ２の右回り方向に揺動する（図４の矢印Ｂ３を参照）。
【００３３】
図２、図３に示すように、コイルばね４２は、一端がガイド５０の端面に当接し、他端がシャフト４１のフランジ部４１ｃに当接した状態で縮設されている。このため、コイルばね４２は、シャフト４１の一端部４１ｂがガイド５０から離間するように常時付勢している。
このため、図２に示すように、シャフト４１の一端部４１ｂが振り分け線Ｌ１よりも右側に位置している場合、コイルばね４２は、ベール支持部材１２Ａの連結部１５を中心軸Ｏ１の左回り方向に回動するように押圧し、ベール１８が釣糸巻取位置に保持される。
一方で、図４に示すように、シャフト４１の一端部４１ｂが振り分け線Ｌ１よりも左側に位置する場合には、ベール支持部材１２Ａの連結部１５を中心軸Ｏ１の右回り方向に回動するように押圧し、ベール１８が釣糸放出位置に保持される。
【００３４】
図６に示すように、復帰用当接部材６１には、ガイド５０の当接片５４の近傍まで延びるキック部６３と、ローラ６５を回転自在に支持する係止片６４とが形成されている。
【００３５】
復帰用当接部材６１は、ベール１８が釣糸巻取位置にある場合、係止片６４が後方から視てアーム本体部３１の後端面３１ａと重なるように位置し、キック部６３がガイド５０の当接片５４の右側に位置している（図２参照）。
このため、ベール１８が釣糸巻取位置から釣糸放出位置に移動した場合、つまりガイド５０が中心軸Ｏ２の左回り方向に揺動した場合（図２の矢印Ａ２参照）、キック部６３が当接片５４の外面５４ｂに右側へ押圧されて、復帰用当接部材６１が中心軸Ｏ３の右回りに回動するようになっている（図６の矢印Ａ３参照）。
この結果、図７に示すように、係止片６４がアーム本体部３１の外壁３３から突出する係止壁３７に当接し、さらに係止片６４に支持されるローラ６５がリール本体２に近接して復帰用衝接部６２の軌道に進入する。
【００３６】
復帰用衝接部６２には、ローラ６５を次第に外側に押し出すような斜面６２ａが形成されている。このため、ハンドル６の巻き取り操作によりロータ３が巻き取り方向に回転した場合（図７の矢印Ｂ１参照）、ローラ６５が復帰用衝接部６２の斜面６２ａに乗り上げて復帰用当接部材６１が左回り方向に回動する（図７の矢印Ｂ２参照）。
そして、キック部６３は、当接片５４の外面５４ｂに接触して当接片５４を押圧し、ガイド５０が中心軸Ｏ２の左回りに揺動する（図４の矢印Ｂ３参照）。
さらに、ガイド５０の揺動に対応してベール支持部材１２Ａが中心軸Ｏ１の左回り方向に回動する（図４の矢印Ｂ４参照）。
【００３７】
この結果、図３に示すように、シャフト４１の一端部４１ｂが振り分け線Ｌ１を超えるため、コイルばね４２の付勢力により、ベール支持部材１２Ａがさらに中心軸Ｏ１の左回り方向に回動して（図３の矢印Ｂ５参照）、ベール１８が釣糸巻取位置に移動する。
【００３８】
なお、ロータ３が巻き取り方向に対して逆回転した場合、復帰用当接部材６１のローラ６５が復帰用衝接部６２の左側面６２ｂに当接して回り止めする。
【００３９】
また、図６に示すように、復帰用当接部材６１の係止片６４には、ばね６８の一端６８ａが係合して復帰用当接部材６１が左回りに回転するように付勢されている。このため、ガイド５０にキック部６３押圧されていない場合、ローラ６５が復帰用衝接部６２の軌道上に位置しないようになっている。
【００４０】
つぎに、ガイド５０の詳細について説明する。
図５に示すように、摺動孔５３は、基部５１の略中央部に設けられている。また、当接片５４は、基部５１の図中の右側に配置されている。よって、摺動孔５３を貫通するシャフト４１の他端部４１ａは、当接片５４の内面５４ａ側（復帰用当接部材６１が当接する側と反対側）に配置されている。
【００４１】
当接片５４の内面５４ａには、基部５１の摺動孔５３に連続するとともにシャフト４１の外周面に対応する円弧状の摺動溝５５が形成されている。このため、摺動孔５３に対するシャフト４１の挿入量が増加すると、シャフト４１の他端部４１ａが摺動溝５５に沿って摺動し、当接片５４の内面５４ａ（摺動溝５５）に当接するようになる。
【００４２】
また、図４に示すように、ベール１８が釣糸放出位置にある場合、シャフト４１は、当接片５４の長さ方向の略全領域に亘って当接するようになっている。
このため、当接片５４の内面５４ａはシャフト４１に当接支持されることで補強され、外面５４ｂに作用する荷重に対する強度が向上する。よって、当接片５４は、復帰用当接部材６１のキック部６３が接触しても変形し難くなっている。つまり、復帰用当接部材６１のキック部６３の衝接による荷重に耐え得るものとなっており、シャフト４１の補強作用により当接片５４の薄肉化を図れる。
【００４３】
また、ガイド５０には、当接片５４の内面５４ａと基部５１とを繋ぐリブ５６が形成されており、当接片５４がさらに変形し難くなっている。
【００４４】
以上、実施形態の魚釣用スピニングリール１によれば、ガイド５０の当接片５４が揺動方向に肉薄化するため、ガイド５０及びロータ３のアーム部３Ａの小型化及び軽量化を図ることができる。
また、ガイド５０の当接片５４の内面５４ａをシャフト４１が支持することで強度が向上しているため、復帰用当接部材６１による接触により変形し難い。
【００４５】
以上、実施形態の魚釣用スピニングリール１について説明したが、本発明はこれに限定されない。
例えば、本実施形態の反転機構４０は、コイルばね４２を備え、付勢機構を発揮できるようになっているが、本発明の反転機構４０はコイルばね４２を備えていなくてもよい。
つまり、反転機構４０から付勢機構（コイルばね４２）を分離し、公知のように、他方のベール支持部材１２Ｂとアーム部材１２Ｂ側の方に、付勢機構（コイルばね４２）を配置してもよい。
また、当接片５４の内面５４ａに摺動溝５５が形成されているが、シャフト４１が当接可能であれば平坦面であってもよい。
ただし、円弧状の摺動溝５５の場合には、平坦面よりもシャフト４１が内面５４ａを支持する面積が大きくなり、当接片５４の強度をさらに向上させることができるために好ましい。
【符号の説明】
【００４６】
１      魚釣用スピニングリール
３      ロータ
３Ａ，３Ｂ  アーム部
４      スプール
８      スプール軸
１０    駆動軸筒
１２Ａ，１２Ｂ  ベール支持部材
１８    ベール
４０    反転機構
４１    シャフト
４２    コイルばね
５０    ガイド
５１    基部
５２    第２軸部
５３    摺動孔
５４    当接片
５４ａ  内面
５４ｂ  外周面
５５    摺動溝
５６    リブ
６１    復帰用当接部材
６２    復帰用衝接部
【図１】
2016202133.tif 000003
【図２】
2016202133.tif 000004
【図３】
2016202133.tif 000005
【図４】
2016202133.tif 000006
【図５】
2016202133.tif 000007
【図６】
2016202133.tif 000008
【図７】
2016202133.tif 000009